【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
ネットワークエンティティによるワイヤレス通信の方法であって、
ユーザ機器（ＵＥ）の識別（ＩＤ）に基づいて前記ＵＥをページングするための少なくとも１つのページングハイパーフレームを決定することと、前記ページングハイパーフレームは、各々が多数の無線フレームにまたがる周期的に生じるハイパーフレームのセットから決定される、
前記ページングハイパーフレームが生じると他の時刻の場合と異ならせて前記ＵＥをページすることを１つまたは複数の基地局（ＢＳｓ）に要求することと、
を備え、
前記ＵＥがページに応答したと決定することと、
前記ＵＥが前記ページに応答したと決定することに応答して、ある期間中に、前記ＵＥをページすることを１つまたは複数の基地局（ＢＳｓ）に要求することを控えることと
を備えることによって特徴付けられる、ワイヤレス通信の方法。
【請求項２】
前記要求することは、前記ページングハイパーフレームが発生すると、より積極的に(aggressively)前記ＵＥをページングすることを備える、請求項１の方法。
【請求項３】
トラッキングエリア内の異なるＢＳｓから前記ＵＥに関するハイパーフレームをページングすることは、ページング応答ウィンドウ内に含まれる、請求項１の方法。
【請求項４】
前記要求することは、前記ＵＥがどのように他の時間にページされるかに関連して前記ページング応答ウィンドウと一緒に前記ＵＥをより積極的にページングすることを備える、請求項１の方法。
【請求項５】
前記ページングハイパーフレームはまた、前記ＵＥの拡張された不連続受信（ｅＤＲＸ）の期間に基づいて決定される、請求項１の方法。
【請求項６】
前記少なくとも１つのページングハイパーフレームは、各々が前記ｅＤＲＸの期間に基づいて決定される、複数のページングハイパーフレームを備える、請求項１の方法。
【請求項７】
前記ＵＥからのページング応答を検出した後で前記ＵＥのページングをキャンセルするための要求を１つまたは複数のＢＳｓに送信することをさらに備える、請求項１の方法。
【請求項８】
前記ＵＥに関するハイパーフレームをページングすることは、少なくともトラッキングエリア内で前記ＵＥがキャンピングしている基地局とは無関係である、請求項１の方法。
【請求項９】
前記ＵＥがある期間内にページに応答しなかったと決定することと、
１つまたは複数の基地局（ＢＳｓ）に前記ページングハイパーフレームの外部で前記ＵＥをページすることを指示すること、をさらに備える、請求項１の方法。
【請求項１０】
前記ＵＥが前記ページに応当したと決定することに応答して、前記期間のタイマーを開始することをさらに備える、請求項１の方法。
【請求項１１】
前記決定に基づいて１つまたは複数の基地局に前記ＵＥに関するページングキャンセルを送信することをさらに備える請求項１の方法。
【請求項１２】
ページに含まれるべきタグ番号を決定すること、ここにおいて前記要求することは、前記タグ番号を前記１つまたは複数のＢＳｓに送信することを備える、
をさらに備える、請求項１の方法。
【請求項１３】
ユーザ機器（ＵＥ）の識別（ＩＤ）に基づいて前記ＵＥをページングするための少なくとも１つのページングハイパーフレームを決定する手段と、前記ページングハイパーフレームは、各々が多数の無線フレームにまたがる周期的に生じるハイパーフレームのセットから決定される、
前記ページングハイパーフレームが生じると他の時刻の場合と異ならせて前記ＵＥをページすることを１つまたは複数の基地局（ＢＳｓ）に要求する手段と、
を備え、
前記ＵＥがページに応答したと決定する手段と、
前記ＵＥが前記ページに応答したと決定することに応答して、ある期間中に、前記ＵＥをページすることを１つまたは複数の基地局（ＢＳｓ）に要求することを控える手段と
を備えることによって特徴付けられる、ワイヤレス通信に関する装置。
【請求項１４】
ユーザ機器（ＵＥ）の識別（ＩＤ）に基づいて前記ＵＥをページングするための少なくとも１つのページングハイパーフレームを決定し、前記ページングハイパーフレームは、各々が多数の無線フレームにまたがる周期的に生じるハイパーフレームのセットから決定される、
前記ページングハイパーフレームが生じると、他の時刻の場合と異ならせて前記ＵＥをページするように１つまたは複数の基地局（ＢＳｓ）に要求する、
ためのコンピュータ実行可能命令を備え、
前記ＵＥがページに応答したと決定し、
前記ＵＥが前記ページに応答したと決定することに応答して、ある期間中に、前記ＵＥをページすることを１つまたは複数の基地局（ＢＳｓ）に要求することを控える、
ためのコンピュータ実行可能命令を備えることによって特徴付けられる、コンピュータ可読媒体。
【手続補正２】
【補正対象書類名】明細書
【補正対象項目名】０１２１
【補正方法】変更
【補正の内容】
【０１２１】
[00140]本開示の先の説明は、当業者が本開示を製造または使用することを可能にするために提供される。本開示に対するさまざまな変更は、当業者に容易に理解され、ここで定義される一般的な原理は、本開示の主旨および範囲から逸脱することなく、他の変化に適用されることができる。よって、本開示は、ここで説明される例および設計に限定されるように意図されたものではなく、ここで開示された原理および新規の特徴と矛盾しない最大範囲であると認められるべきである。
以下に本願の出願当初の特許請求の範囲に記載された発明を付記する。
［Ｃ１］  基地局（ＢＳ）によるワイヤレス通信のための方法であって、ユーザ機器（ＵＥ）の識別（ＩＤ）に基づいて前記ＵＥをページングするための少なくとも１つのページングハイパーフレームを決定することと、ここで前記少なくとも１つのハイパーフレームは各々が多数の無線フレームにまたがる周期的に生じるハイパーフレームのセットから決定される、
前記ＵＥをページするための要求を受信することと、および
前記ページングハイパーフレームの無線フレーム内の少なくとも１つのサブフレームで前記ＵＥにページング信号を送信することと、を備える、方法。
［Ｃ２］  前記少なくとも１つのページングハイパーフレームはまた前記ＵＥの拡張された不連続受信（ｅＤＲＸ）の期間に基づいて決定される、Ｃ１の方法。
［Ｃ３］  ページングハイパーフレームの少なくとも１つのサブフレームで前記信号をページングすることは、
前記ページングハイパーフレームの複数の無線フレームでページング信号を送信すること、ここで前記複数の無線フレームはレガシーＤＲＸの期間に基づいて決定される、を備える、Ｃ２の方法。
［Ｃ４］  同じページング信号が前記複数の無線フレームの各無線フレームで送信される、Ｃ３の方法。
［Ｃ５］  前記少なくとも１つのページングハイパーフレームは各々がｅＤＲＸの期間に基づいて決定される複数のページングハイパーフレームを備える、Ｃ２の方法。
［Ｃ６］  前記ページング信号を送信した後に前記ＵＥのページングをキャンセルする要求をネットワークエンティティから受信することと、
前記要求に応答してさらなるページング信号の送信をキャンセルすることと、をさらに備える、Ｃ１の方法。
［Ｃ７］  ｅＤＲＸ  ＵＥｓをサポートするセルに関するシステム情報を更新することを決定することと、
ｅＤＲＸにおいてＵＥに関する拡張されたブロードキャストコントロールチャネル（ＢＣＣＨ）を決定することと、
前記ページング信号を前記ＵＥに送信する１つの拡張されたＢＣＣＨ変更期間内で前記システム情報を更新することと、をさらに備える、Ｃ１の方法。
［Ｃ８］  ノーマルＢＣＣＨ変更境界と時間整合された拡張されたＢＣＣＨ変更境界を決定することをさらに備えた、Ｃ７の方法。
［Ｃ９］  前記ＵＥに関するハイパーフレームをページングすることは、少なくともトラッキングエリア内において前記ＵＥがキャンピングしている基地局と無関係である、Ｃ１の方法。
［Ｃ１０］  トラッキングエリア内で異なるＢＳｓから前記ＵＥに関するハイパーフレームをページングすることは、ページング応答ウィンドウ内に含まれる、Ｃ１の方法。
［Ｃ１１］  前記トラッキングエリア内の他の基地局と前記ページング応答ウィンドウを同期するようにグローバルクロックと整合させるためにハイパーフレームシステムフレーム番号（Ｈ−ＳＦＮ）をイニシャライズすることをさらに備えた、Ｃ１０の方法。
［Ｃ１２］  システム情報に変化が生じたことを前記ページング信号を介して示すことをさらに備える、Ｃ１の方法。
［Ｃ１３］  前記要求はタグ番号を備え、
前記ページング信号を送信することは、前記ページング信号で前記タグ番号を送信することを備える、Ｃ１の方法。
［Ｃ１４］  ユーザ機器（ＵＥ）による無線通信の方法において、
前記ＵＥの識別（ＩＤ）に基づいて基地局（ＢＳ）からページング信号をモニタリングする少なくとも１つのページングハイパーフレームを決定することと、ここで、前記ページングハイパーフレームは各々が多数の無線フレームにまたがる周期的に生じるハイパーフレームのセットから決定される、
前記ページングハイパーフレームの無線フレーム内の少なくとも１つのサブフレームで前記ページング信号をモニタリングすることと、を備える、方法。
［Ｃ１５］  前記ページングハイパーフレームはまた前記ＵＥの拡張された不連続受信（ｅＤＲＸ）の期間に基づいて決定される、Ｃ１４の方法。
［Ｃ１６］  前記ページングハイパーフレームの少なくとも１つのサブフレームで前記ページング信号をモニタリングすることは、
前記ページングハイパーフレームの複数の無線フレームで前記ページング信号をモニタリングすることを備え、前記複数の無線フレームはレガシーＤＲＸに関する期間に基づいて決定される、Ｃ１５の方法。
［Ｃ１７］  前記少なくとも１つのページングハイパーフレームは各々が前記ｅＤＲＸの期間に基づいて決定される複数のページングハイパーフレームを備える、Ｃ１５の方法。
［Ｃ１８］  前記ＵＥに関するハイパーフレームをページングすることは、少なくともトラッキングエリア内で前記ＵＥがキャンピングしている基地局とは無関係である、Ｃ１４の方法。
［Ｃ１９］  トラッキングエリア内の異なるＢＳｓから前記ＵＥに関するハイパーフレームをページングすることはページング応答ウィンドウ内に含まれる(fall within)、Ｃ１４の方法。
［Ｃ２０］  前記少なくとも１つのサブフレームの後で前記ページングハイパーフレームのサブフレーム内のページング信号をモニタリングすることを中止することを決定することをさらに備える、Ｃ１４の方法。
［Ｃ２１］  前記決定は少なくとも部分的に信号品質メトリックに基づく、Ｃ２０の方法。
［Ｃ２２］  前記信号品質メトリックは信号対雑音比（ＳＮＲ）を備える、Ｃ２１の方法。
［Ｃ２３］  前記決定は、少なくとも部分的に前記ＵＥのモビリティに基づく、Ｃ２０の方法。
［Ｃ２４］  前記決定は前記ＵＥがセルに最後に選択されてから経過した時間期間に基づく、Ｃ２０の方法。
［Ｃ２５］  システム情報が変化したという表示を前記ページング信号を介して受信することと、
前記表示に応答してシステム情報を獲得することと、をさらに備える、Ｃ１４の方法。
［Ｃ２６］  タイマーを開始することと、
前記ＵＥが前記タイマーの満了前に前記ページング信号をモニタすることができない場合、前記ページングハイパーフレーム内にはない１つまたは複数の無線フレーム内の別のページング信号をモニタリングすることと、をさらに備える、Ｃ１４の方法。
［Ｃ２７］  前記ＵＥが、
前記ページング信号をモニタすることと、
前記ページング信号または前記他のページング信号を受信すること、の少なくとも１つを実行する場合、前記タイマーをリスタートすることをさらに備える、Ｃ２６の方法。
［Ｃ２８］  タイマーを開始することと、
前記ＵＥが前記タイマーの満了前に前記ページング信号をモニタすることができない場合、ノンアクセスストレータム(non-access stratum)（ＮＡＳ）プロシージャをトリガすることをさらに備える、Ｃ１４の方法。
［Ｃ２９］  前記ＵＥが前記ＮＡＳプロシージャを完了する場合前記タイマーをリスタートすることをさらに備える、Ｃ２８の方法。
［Ｃ３０］  タイマーを開始することと、
前記タイマーの満了前に前記ページング信号を前記ＵＥがモニタできない場合、無線リソースコントロール（ＲＲＣ）プロシージャをトリガすることをさらに備える、Ｃ１４の方法。
［Ｃ３１］  前記ＵＥが前記ＲＲＣプロシージャを完了する場合前記タイマーをリスタートすることをさらに備える、Ｃ３０の方法。
［Ｃ３２］  前記ページング信号を受信することと、
ある期間のタイマーを開始することと、
前記タイマーの満了まで前記ページング信号をモニタリングすることを控えることをさらに備える、Ｃ１４の方法。
［Ｃ３３］  前記タイマーの前記期間は、
拡張された不連続受信（ｅＤＲＸ）構成の一部およびダイナミックシグナリングの少なくとも１つで受信される、Ｃ３２の方法。
［Ｃ３４］  拡張された不連続受信（ｅＤＲＸ）構成に基づいて前記タイマーの前記期間を決定することをさらに備える、Ｃ３２の方法。
［Ｃ３５］  前記ページング信号を受信することと、
前記ページング信号に含まれるタグ番号を決定することと、
前記同じタグ番号を含む他のページング信号を無視することと、をさらに備える、Ｃ１４の方法。
［Ｃ３６］  ユーザ機器（ＵＥ）の識別（ＩＤ）に基づいて前記ＵＥをページングするための少なくとも１つのページングハイパーフレームを決定することと、ここで、前記ページングハイパーフレームは各々が多数の無線フレームにまたがる周期的に生じるハイパーフレームのセットから決定される、
前記ページングハイパーフレームが生じると他の時刻の場合と異ならせて前記ＵＥをページすることを１つまたは複数の基地局（ＢＳｓ）に要求することと、を備える、無線通信の方法。
［Ｃ３７］  前記要求は前記ページングハイパーフレームが発生すると、より積極的に(aggressively)前記ＵＥをページングすることを備える、Ｃ３６の方法。
［Ｃ３８］  トラッキングエリア内の異なるＢＳｓから前記ＵＥに関するハイパーフレームをページングすることはページング応答ウィンドウ内に含まれる、Ｃ３６の方法。
［Ｃ３９］  前記要求は前記ＵＥがどのように他の時間にページされるかに関連して前記ページング応答ウィンドウと一緒に前記ＵＥをさらに積極的にページングすることを備える、Ｃ３６の方法。
［Ｃ４０］  前記ページングハイパーフレームはまた前記ＵＥの拡張された不連続受信（ｅＤＲＸ）の期間に基づいて決定される、Ｃ３６の方法。
［Ｃ４１］  前記少なくとも１つのページングハイパーフレームは各々が前記ｅＤＲＸの期間に基づいて決定される、複数のページングハイパーフレームを備える、Ｃ３６の方法。
［Ｃ４２］  前記ＵＥからのページング応答を検出した後で前記ＵＥのページングをキャンセルするための要求を１つまたは複数のＢＳｓに送信することをさらに備える、Ｃ３６の方法。
［Ｃ４３］  前記ＵＥに関するハイパーフレームをページングすることは少なくともトラッキングエリア内で前記ＵＥがキャンピングしている基地局とは無関係である、Ｃ３６の方法。
［Ｃ４４］  前記ＵＥがある期間内にページに応答しなかったと決定することと、
１つまたは複数の基地局（ＢＳｓ）に前記ページングハイパーフレームの外部で前記ＵＥをページすることを指示すること、をさらに備える、Ｃ３６の方法。
［Ｃ４５］  前記ＵＥがページに応当したと決定することと、
前記ＵＥが前記ページに応当したとの決定に応答してタイマーを開始することと、
前記タイマーの満了まで前記ＵＥをページするために１つまたは複数の基地局（ＢＳｓ）に要求することを控えることと、をさらに備える、Ｃ３６の方法。
［Ｃ４６］  前記ＵＥがページに応当したと決定することと、
前記決定に応答して１つまたは複数の基地局に前記ＵＥに関するページングキャンセルを送信することと、をさらに備えるＣ３６の方法。
［Ｃ４７］  ページに含まれるべきタグ番号を決定することと、ここにおいて前記要求することは前記タグ番号を前記１つまたは複数のＢＳｓに送信することをさらに備える、Ｃ３６の方法。
［Ｃ４８］  ユーザ機器（ＵＥ）の識別（ＩＤ）に基づいて前記ＵＥをページングする少なくとも１つのページングハイパーフレームを決定する手段と、ここで、前記ページングハイパーフレームは各々が多数の無線フレームにまたがる定期的に生じるハイパーフレームのセットから決定される、
前記ＵＥをページするための要求を受信する手段と、
前記ページングハイパーフレームの無線フレーム内の少なくとも１つのサブフレームで前記ＵＥへページング信号を送信する手段と、を備える、無線通信に関する装置。
［Ｃ４９］  ＵＥの識別（ＩＤ）に基づいて基地局（ＢＳ）からのページング信号をモニタリングするための少なくとも１つのページングハイパーフレームを決定する手段と、ここで前記ページングハイパーフレームは各々が多数の無線フレームにまたがる定期的に生じるハイパーフレームのセットから決定される、
前記ページングハイパーフレームの無線フレーム内の少なくとも１つのサブフレームで前記ページング信号をモニタリングすることと、を備える、無線通信に関する装置。
［Ｃ５０］  ユーザ機器（ＵＥ）の識別（ＩＤ）に基づいて前記ＵＥをページングするための少なくとも１つのページングハイパーフレームを決定する手段と、ここで前記ページングハイパーフレームは各々が多数の無線フレームにまたがる定期的に生じるハイパーフレームのセットから決定される、
前記ページングハイパーフレームが生じると他の時刻の場合と異ならせて前記ＵＥをページすることを１つまたは複数の基地局（ＢＳｓ）に要求する手段と、を備える、無線通信に関する装置。
［Ｃ５１］  少なくとも１つのアンテナと、
ユーザ機器（ＵＥ）の識別（ＩＤ）に基づいて前記ＵＥをページングするための少なくとも１つのページングハイパーフレームを決定し、ここで前記ページングハイパーフレームは各々が多数の無線フレームにまたがる定期的に生じるハイパーフレームのセットから決定される、
前記ＵＥをページするための要求を受信し、
前記ページングハイパーフレームの無線フレーム内の少なくとも１つのサブフレームにおいて前記ＵＥに前記少なくとも１つのアンテナを介してページング信号を送信する、ように構成された少なくとも１つのプロセッサと、を備える基地局（ＢＳ）。
［Ｃ５２］  すくなくとも１つのアンテナと、
ユーザ機器（ＵＥ）の識別（ＩＤ）に基づいて基地局（ＢＳ）からページング信号をモニタするための少なくとも１つのページングハイパーフレームを決定し、ここで前記ページングハイパーフレームは各々が多数の無線フレームにまたがる定期的に生じるハイパーフレームのセットから決定される、
前記ページングハイパーフレームの無線フレーム内の少なくとも１つのサブフレームで前記ページング信号をモニタする、ように構成されるプロセッサとを備えたユーザ機器（ＵＥ）。
［Ｃ５３］  少なくとも１つのネットワークエンティティと、
ユーザ機器（ＵＥ）の識別（ＩＤ）に基づいて前記ＵＥをページングするための少なくとも１つのページングハイパーフレームを決定し、ここで、前記ページングハイパーフレームは各々が多数の無線フレームにまたがる定期的に生じるハイパーフレームのセットから決定される、
前記ページングハイパーフレームが生じると他の時刻の場合と異ならせて前記ＵＥをページするように１つまたは複数の基地局（ＢＳｓ）に要求する、ように構成されたプロセッサと、を備えるネットワークエンティティ。
［Ｃ５４］  ユーザ機器（ＵＥ）の識別（ＩＤ）に基づいて前記ＵＥをページングするための少なくとも１つのページングハイパーフレームを決定し、ここで前記ページングハイパーフレームは各々が多数の無線フレームにまたがる定期的に生じるハイパーフレームのセットから決定される、
前記ＵＥをページするための要求を受信し、
前記ページングハイパーフレームの無線フレーム内の少なくとも１つのサブフレームにおいて前記ＵＥにページング信号を送信する、ためのコンピュータ実行可能な命令を備えるコンピュータ可読媒体。
［Ｃ５５］  ＵＥの識別（ＩＤ）に基づいて基地局（ＢＳ）からページング信号をモニタするための少なくとも１つのページングハイパーフレームを決定し、ここで前記ページングハイパーフレームは各々が多数の無線フレームにまたがる定期的に生じるハイパーフレームのセットから決定される、
前記ページングハイパーフレームの無線フレーム内の少なくとも１つのサブフレームにおいて前記ページング信号をモニタするためのコンピュータ実行命令を備えるコンピュータ可読媒体。
［Ｃ５６］  ユーザ機器（ＵＥ）の識別（ＩＤ）に基づいて前記ＵＥをページングするための少なくとも１つのページングハイパーフレームを決定し、ここで前記ページングハイパーフレームは各々が多数の無線フレームにまたがる定期的に生じるハイパーフレームのセットから決定される、
前記ページングハイパーフレームが生じると、他の時刻の場合と異ならせて前記ＵＥをページするように１つまたは複数の基地局（ＢＳｓ）に要求する、ためのコンピュータ実行可能命令を備える、コンピュータ可読媒体。